(57)【特許請求の範囲】
【請求項１】
略筒状の胴体部と、上記胴体部の下部開口を蓋する底蓋部と、上記胴体部の上部開口縁部に着脱自在に嵌合されて上記胴体部の上部開口を蓋する天蓋部とを備え、
上記胴体部が、一枚のシートを、上に向かって徐々に拡径するテーパー状の略筒状に形成したものであって、その上部開口縁部に、天蓋部を係合保持するための係合手段が設けられており、
上記天蓋部が、一枚のシートを、上記胴体部の上部開口縁部の内側に入り込む環状ガイドを有する凹凸形状に賦形したものであって、その環状ガイドに、上記胴体部の上部開口縁部の係合手段と係合しうる被係合手段が設けられているとともに、上記環状ガイドが環状の周壁部を備え、この周壁部の、互いに向かい合う２つの領域の下端縁が、他の領域の下端縁に比べて、上記胴体部の上部開口縁部の内側に深く入り込むよう下向きに膨出し、その膨出部の形状が、非膨出部から最大膨出部にかけて円弧状に湾曲した形状になっており、
上記胴体部から天蓋部を外した状態において、複数の胴体部同士を多段に積み重ねることができるとともに、複数の天蓋部同士を、その凹凸を揃えた状態で多段に積み重ねることができるようになっていることを特徴とする組立容器。
【請求項２】
上記天蓋部が、上記環状ガイドの上に係脱自在に冠着される蓋板と、上記蓋板と環状ガイドとの間に延びるヒンジ連結用の屈曲帯状部とを備えている請求項１記載の組立容器。
【請求項３】
上記胴体部が、その上部開口縁部から上向きに延設されるフラップを備え、そのフラップに、吊り下げ用の穴が設けられている請求項１または２記載の組立容器。
【請求項４】
上記天蓋部の上面と上記底蓋部の下面とが互いに嵌合可能な形状になっており、胴体部の上下開口が天蓋部および底蓋部で蓋された複数の組立容器を多段に積み重ねることができるようになっている請求項１〜３のいずれか一項に記載の組立容器。
【請求項５】
上記胴体部、天蓋部、底蓋部のいずれもが、厚み０．１〜１．０ｍｍの同一素材からなるシートによって形成されている請求項１〜４のいずれか一項に記載の組立容器。
【発明の詳細な説明】
【技術分野】
【０００１】
本発明は、略筒状の胴体部の上部開口に、着脱自在に天蓋部が嵌合されるようになっている組立容器に関するものである。
【背景技術】
【０００２】
従来、化粧品や菓子等の商品を、顧客によく見える形で収容して店頭に陳列するのに用いられる包装容器として、透明な筒状の胴体部の上下開口を、底蓋と天蓋とで蓋した組立容器が汎用されている（例えば、特許文献１〜３を参照）。このような容器の一例を図１２に示す。この容器は、長方形の透明なプラスチックシートの両端縁を背面側で係止することによって筒状の胴体部１とし、その下部開口に底蓋２を嵌入係止するとともに、その上部開口に天蓋３を嵌入係止して形成されている。
【０００３】
なお、上記底蓋２には、この容器内に収容する２種類の商品をそれぞれ起立姿勢で保持できるように、それぞれの商品の底部形状に合わせた凹部２ａ、２ｂが形成されている。そして、この縦長の容器が陳列時に転倒したり、形が崩れたりしないように、上記底蓋２と天蓋３とは、ともに射出成形等によって、比較的厚肉で強固に形成されている。
【先行技術文献】
【特許文献】
【０００４】
【特許文献１】実用新案登録第３０７４２５０号公報
【特許文献２】特許第５２２１４０９号公報
【特許文献３】特許第５３７３３１６号公報
【発明の概要】
【発明が解決しようとする課題】
【０００５】
このような組立容器は、通常、製造された後、中身である商品を収容して包装を行う出荷工場に搬送されるが、最終形状まで組み立てた状態で搬送すると嵩張るため、胴体部１となるシートは平たいシートのまま重ね、底蓋２と天蓋３とはバラバラのまま袋等に詰めて搬送される。そして、出荷工場において、商品を収容し包装する工程に先立ち、シートから胴体部１を作り、その下部開口に底蓋２を嵌入係止する、という作業を人の手作業で行うのが一般的である。
【０００６】
しかしながら、出荷工場は、商品を提供する市場に最も近いところにあり、市場ニーズに応じた種類と量の商品を、できるだけ迅速に市場に提供することが重要である。このため、上記のような手作業に多くの時間を要すると、市場ニーズへの対応に遅れが生じるおそれがあり、その改善が強く望まれている。
【０００７】
本発明は、このような事情に鑑みなされたもので、胴体部に底蓋部を取り付けた状態で互いに積み重ねて搬送することができ、出荷までの容器組立作業も簡単な、使い勝手のよい組立容器の提供をその目的とする。
【課題を解決するための手段】
【０００８】
上記の目的を達成するため、本発明は、略筒状の胴体部と、上記胴体部の下部開口を蓋する底蓋部と、上記胴体部の上部開口縁部に着脱自在に嵌合されて上記胴体部の上部開口を蓋する天蓋部とを備え、上記胴体部が、一枚のシートを、上に向かって徐々に拡径するテーパー状の略筒状に形成したものであって、その上部開口縁部に、天蓋部を係合保持するための係合手段が設けられており、上記天蓋部が、一枚のシートを、上記胴体部の上部開口縁部の内側に入り込む環状ガイドを有する凹凸形状に賦形したものであって、その環状ガイドに、上記胴体部の上部開口縁部の係合手段と係合しうる被係合手段が設けられているとともに、上記環状ガイドが環状の周壁部を備え、この周壁部の、互いに向かい合う２つの領域の下端縁が、他の領域の下端縁に比べて、上記胴体部の上部開口縁部の内側に深く入り込むよう下向きに膨出し、その膨出部の形状が、非膨出部から最大膨出部にかけて円弧状に湾曲した形状になっており、上記胴体部から天蓋部を外した状態において、複数の胴体部同士を多段に積み重ねることができるとともに、複数の天蓋部同士を、その凹凸を揃えた状態で多段に積み重ねることができるようになっている組立容器を第１の要旨とする。
【０００９】
また、本発明は、そのなかでも、特に、上記天蓋部が、上記環状ガイドの上に係脱自在に冠着される蓋板と、上記蓋板と環状ガイドとの間に延びるヒンジ連結用の屈曲帯状部とを備えている組立容器を第２の要旨とする。
【００１０】
さらに、本発明は、それらのなかでも、特に、上記胴体部が、その上部開口縁部から上向きに延設されるフラップを備え、そのフラップに、吊り下げ用の穴が設けられている組立容器を第３の要旨とし、特に、上記天蓋部の上面と上記底蓋部の下面とが互いに嵌合可能な形状になっており、胴体部の上下開口が天蓋部および底蓋部で蓋された複数の組立容器を多段に積み重ねることができるようになっている組立容器を第４の要旨とする。そして、それらのなかでも、特に、上記胴体部、天蓋部、底蓋部のいずれもが、厚み０．１〜１．０ｍｍの同一素材からなるシートによって形成されている組立容器を第５の要旨とする。
【発明の効果】
【００１１】
すなわち、本発明の組立容器は、一枚のシートからなる略筒状の胴体部を、上に向かって徐々に拡径するテーパー状にするとともに、その上部開口を蓋する天蓋部として、一枚のシートから胴体部に対し着脱自在な凹凸形状に賦形したものを用いることにより、上記胴体部から天蓋部を外した状態において、複数の胴体部同士を多段に積み重ねることができるようにしたものである。この組立容器によれば、胴体部と底蓋部を組み立て、天蓋部のみを外した中間品を、大量に重ねても嵩張らないため、その積層状態で、最終工程（例えば商品収容・包装工程）に搬入することができ、その場で、順次中間品を取り出して天蓋部を取り付けるだけで、簡単に最終形態の組立容器を得ることができる。したがって、最終工程への組立容器の搬入から商品の出荷までの作業と時間を大幅に短縮することができ、市場のニーズに応じた、迅速かつ的確な商品提供を実現することができる。
【００１２】
そして、上記天蓋部が、一枚のシートからなるものであるため、大量の胴体部（底蓋部付き）とセットとなる大量の天蓋部も、全体が非常に軽量となり、取り扱いやすいという利点を有する。
【００１３】
しかも、本発明の組立容器は、特に、上記天蓋部の環状ガイドが環状の周壁部を備え、この周壁部の、互いに向かい合う２つの領域の下端縁が、他の領域の下端縁に比べて胴体部の上部開口縁部の内側に深く入り込むよう下向きに膨出した形状になっており、天蓋部を胴体部の上部開口縁部の内側に嵌入する際、上記２つの膨出部が案内ガイドの役割を果たし、胴体部開口縁部の内周面に沿いながら安定した状態で入り込むため、その作業がしやすいという利点を有する。
【００１４】
そして、本発明のなかでも、特に、上記天蓋部が、上記環状ガイドの上に係脱自在に冠着される蓋板と、上記蓋板と環状ガイドとの間に延びるヒンジ連結用の屈曲帯状部とを備えているものは、中身の出し入れを、上記蓋板を開閉するだけで簡単に行うことができ、非常に使い勝手のよいものとなる。
【００１５】
さらに、本発明のなかでも、特に、上記胴体部が、その上部開口縁部から上向きに延設されるフラップを備え、そのフラップに、吊り下げ用の穴が設けられているものは、この組立容器を用いた商品を店頭で陳列する際、水平面に載置するだけでなく、上から吊り下げた状態で陳列することもでき、アイキャッチ効果の高い陳列形態を選択することができるという利点を有している。
【００１６】
また、本発明のなかでも、特に、上記天蓋部の上面と上記底蓋部の下面とが互いに嵌合可能な形状になっており、胴体部の上下開口が天蓋部および底蓋部で蓋された複数の組立容器を多段に積み重ねることができるようになっているものは、この組立容器を用いた商品を出荷する際、あるいは保管する際，陳列する際等において、この組立容器の底蓋部と天蓋部とを互いに嵌合させることにより、商品を安定的に段積みすることができ、好適である。
【００１７】
そして、本発明のなかでも、特に、上記胴体部、天蓋部、底蓋部のいずれもが、厚み０．１〜１．０ｍｍの同一素材からなるシートによって形成されているものは、全体を非常に軽量化することができ、大量に積み重ねた場合でも取り扱いやすいという利点を有している。また、いずれも同一素材であることから、ごみとして廃棄する場合、あるいはリサイクル可能なものである場合、組立容器をいちいち分解して分別する必要がなく、一体として廃棄するかリサイクルに供することができる。
【図面の簡単な説明】
【００１８】
【図１】本発明の一実施の形態を示す斜視図である。
【図２】上記実施の形態の分解斜視図である。
【図３】上記実施の形態における胴体部の展開図である。
【図４】（ａ）は上記実施の形態における底蓋部の平面図、（ｂ）はその正面図である。
【図５】（ａ）は上記実施の形態における天蓋部の平面図、（ｂ）はその右側面図、（ｃ）はその正面図である。
【図６】上記実施の形態である組立容器を多段に積み重ねた状態を示す模式的な断面図である。
【図７】（ａ）は本発明の参考の形態における天蓋部の平面図、（ｂ）はその正面図、（ｃ）は上記天蓋部に用いられるシールの平面図である。
【図８】上記参考の形態を示す斜視図である。
【図９】（ａ）は上記参考の形態における底蓋部の平面図、（ｂ）はその正面図である。
【図１０】本発明の他の実施の形態における陳列方法の説明図である。
【図１１】（ａ）は本発明のさらに他の実施の形態における胴体部および底蓋部の展開図、（ｂ）はそのＡ−Ａ′断面図である。
【図１２】従来の組立容器の一例を示す分解斜視図である。
【発明を実施するための形態】
【００１９】
つぎに、本発明の実施の形態を図面にもとづいて詳しく説明する。ただし、本発明は、以下の実施の形態に限定されるものではない。
【００２０】
図１は、本発明の組立容器の一実施の形態を示す斜視図を示している。この組立容器は、小形の商品を多数個収容するために用いられるもので、図２に示すように、略筒状の胴体部１０と、その下部開口を蓋する底蓋部１１と、同じくその上部開口を蓋する天蓋部１２の、３つのパーツを組み立てることによって形成されている。
【００２１】
上記胴体部１０は、図３に示すように、ポリエチレンテレフタレート（ＰＥＴ）からなる厚み０．３ｍｍの１枚のシートを略筒状に巻き、片縁に設けられた重ね代部１０ａを反対側の縁部に重ねて接合したものである。なお、上記胴体部１０は、図２において矢印で示すように正面からみて、横断面が左右方向に長い楕円形状になっており、しかもその周壁が、上に向かって徐々に拡径するテーパー状になっている。テーパー角は、この例では、垂直方向に対し２°となるよう設定されている。
【００２２】
また、上記胴体部１０の下部開口縁部には、周方向に略均等の配置となる４個所に、長方形状のスリット１５が、底蓋部１１を係合保持するための係合手段として設けられており、同じく、その上部開口縁部には、正面側の左右２個所と、背面側の中央１個所に、長方形状のスリット１６が、天蓋部１２を係合保持するための係合手段として設けられている。
【００２３】
さらに、上記胴体部１０には、その上部開口縁部の背面側中央から上方に、略四角形のフラップ１７が延設されており、このフラップ１７に、吊り下げ用の穴１８が設けられている。したがって、この穴１８を利用して、容器全体を上から吊り下げた状態で陳列することができるようになっている。また、上記フラップ１７が延設された部分の左右両側に設けられた小さな切欠き１９は、後述する天蓋部１２のヒンジ部分を逃がすためのものである。
【００２４】
なお、上記胴体部１０を組み立てる前のシートには、正面側の前面部と背面側の後面部との境界に折り目２０が付けられ、正面側の前面部と重ね代部１０ａとの境界に折り目２１が付けられている。これは、胴体部１０を略筒状に組み立てるときの作業性を考慮したものであるが、胴体部１０が略筒状に形成された後も、これらの折り目２０、２１が補強用リブの作用を果たし、全体の保形性が良好となるため、上下に底蓋部１１、天蓋部１２を嵌入する際の作業性が向上するという利点も有する。
【００２５】
つぎに、上記胴体部１０の下部開口を蓋する底蓋部１１について説明する。底蓋部１１は、上記胴体部１０と同様、厚み０．３ｍｍのＰＥＴシートからなり、真空成形によって凹凸形状が付与されている。すなわち、底蓋部１１は、その平面図である図４（ａ）、その正面図である図４（ｂ）に示されるように、全体が略楕円板状で、胴体部１０の下部開口縁部の内側に入り込む環状の周壁部２２と、リング状の水平面部２３と、その内周縁から下向きに突設される凹状の底面部２４とを備えている。
【００２６】
上記周壁部２２の外周面には、周方向に略均等な配置となる４個所に、平面視がごく浅い円弧状となるよう膨出する突出部２５がそれぞれ設けられており、これらの突出部２５を、前記胴体部１０の内側から、スリット１５に係合することによって、底蓋部１１が、胴体部１０内に、安定した状態で保持されるようになっている。
【００２７】
つぎに、上記胴体部１０の上部開口を蓋する天蓋部１２について説明する。天蓋部１２も、上記胴体部１０、底蓋部１１と同様、厚み０．３ｍｍのＰＥＴシートからなり、真空成形によって凹凸形状が付与されている。すなわち、天蓋部１２は、その平面図である図５（ａ）、その右側面図である図５（ｂ）、その正面図である図５（ｃ）に示されるように、胴体部１０の上部開口縁部の内側に入り込む環状ガイド３０と、この環状ガイド３０の上に係脱自在に冠着される蓋板３１と、両者の間に延びるヒンジ連結用の屈曲帯状部３２とを備えている。
【００２８】
上記環状ガイド３０は、全体が平面視略楕円状の環状で、胴体部１０の上部開口縁部の内側に入り込む環状の周壁部３３と、リング状の略水平面部３４と、その内周縁から上向きに突設される天面部３５とを備えている。そして、天面部３５の天面３５ａには、大きな開口３６が形成されており、この部分が、組立容器全体の開口となって、収容された商品の出し入れが、この開口３６を介してなされるようになっている。なお、上記天面部３５の立ち上がり面３５ｂにおいて、その左右２個所に、上下方向に延びる小さな段差線５０が設けられ、背面側の中央部分に平坦部５１が設けられている。これらは、天面部３５、ひいては天蓋部１２全体の保形性を高めるために設けられたものである。
【００２９】
上記周壁部３３は、その互いに向かい合う２つの領域（この例では、容器の前後方向の領域）の下端縁３３ａが、左右の領域の下端縁３３ｂに比べて胴体部１０の開口縁部の内側に深く入り込むよう下向きに膨出した形状になっており、正面からみると、図５（ｃ）に示すように、下端縁３３ａが、緩やかな円弧状に湾曲している。そして、その外周面には、その正面側の左右２個所と、背面側の中央部分に、平面視がごく浅い円弧状となるよう膨出する突出部３７がそれぞれ設けられており、これらの突出部３７を、前記胴体部１０の内側から、スリット１６に係合することによって、天蓋部１２が、胴体部１０内に、安定した状態で保持されるようになっている。
【００３０】
また、上記周壁部３３の背面側の下端縁から２本の屈曲帯状部３２が後方に平行に延びて蓋板３１とつながっており、この２本の屈曲帯状部３２が、上記環状ガイド３０に対し蓋板３１を係脱自在に冠着させるためのヒンジ連結部になっている。なお、上記屈曲帯状部３２には、蓋板３１の開閉がスムーズに行われるように、その途中に、側面視コ字状の屈曲部３２ａが設けられている。そして、この屈曲部３２ａは、前述の、胴体部１０の上部開口縁部に設けられた小さな切欠き１９からそれぞれ後方に突出している。
【００３１】
一方、蓋板３１は、胴体部１０の上部開口縁部と一致する略楕円板状で、その周縁部に、断面コ字状の環状凸部４０が下向きに突出形成されている。そして、この環状凸部４０で囲われた凹部４０ａが、上記環状ガイド３０の、上向きに突出する天面部３５と、係脱自在に嵌合して、天面部３５の開口３６を蓋するようになっている。なお、蓋板３１を閉じたときに手前にくる端縁部４１の前後の幅が広くなっており、この部分に手をかけて蓋板３１を開閉しやすいよう配慮されている。
【００３２】
上記３つのパーツからなる組立容器は、例えばつぎのようにして得ることができる。すなわち、まず、図３に示すように裁断され折り目２０、２１が付与されたＰＥＴシートを準備し、重ね代部１０ａを反対側の縁部に重ねて接合することにより、図２に示すような略筒状の胴体部１０を得る。接合は、接着剤を用いてもよいし、両面テープを用いてもよい。また、シートの材質によっては、熱融着してもよい。
【００３３】
一方、予め用意された金型を用い、ＰＥＴシートを真空成形することによって、図４に示す底蓋部１１と、図５に示す天蓋部１２とを準備する。そして、上記胴体部１０の下部開口縁部に、上記底蓋部１１を嵌入し、底蓋部１１の周壁部２２に設けられた突出部２５を、胴体部１０側のスリット１５にそれぞれ係合することによって、底蓋部１１を、胴体部１０内の下部に、安定した状態で固定して、中間品とする。なお、この段階では、天蓋部１２は取り付けない。
【００３４】
このようにして得られた中間品は、胴体部１０が、上に向かって徐々に拡径するテーパー状であることから、これを多段に積み重ねることができる。また、天蓋部１２は、真空成形によって上下方向に凹凸形状が賦形されただけの形状であることから、その凹凸を揃えれば、互いに多段に重ねることができる。したがって、この組立容器を、保管、搬送する場合、図６に示すように、上記中間品（胴体部１０に底蓋部１１が取り付けられたもの）と、天蓋部１２とに分けて、それぞれを重ね、嵩張らないコンパクトな形態にして、取り扱うことができる。
【００３５】
そして、この形態で、商品の収容と包装を行う出荷工場等に搬入し、重ねられた中間品を一個ずつばらして胴体部１０の上部開口から商品を所定数ずつ充填する。そして、商品の充填後、蓋板３１を閉じた天蓋部１２を、胴体部１０の上部開口縁部に嵌入保持させることにより、組立容器が完成する。この状態で、出荷することができる。なお、中身の種類や充填条件等によっては、天蓋部１２を胴体部１０の上部開口縁部に取り付けた後に、天蓋部１２の蓋板３１を開いて、中身となる商品の充填を行い、その後、天蓋部１２の蓋板３１を閉じて封をするようにしても差し支えない。
【００３６】
上記組立容器によれば、組立容器に、中身となる商品を収容して包装する最終工程において、組立容器の準備が、底蓋部１１が取り付けられた胴体部１０に、天蓋部１２を取り付ける簡単な作業だけですみ、従来のように、いちいちシートから胴体部１０を作って底蓋部１１を取り付けるという作業が不要となる。したがって、最終工程への組立容器の搬入から商品の出荷までの作業と時間を大幅に短縮することができ、市場のニーズに応じた、迅速かつ的確な商品提供を実現することができる。
【００３７】
なお、本発明において、胴体部１０の周壁につけるテーパー角は、上記の例に限るものではなく、スムーズに胴体部１０を多段に積み重ねることのできる角度であればよいが、なかでも、垂直方向に対し１〜２０°の範囲に設定することが好適である。すなわち、テーパー角が１°未満の場合は、胴体部１０の積み重ね・取り外しの作業がしにくくなるおそれがあり、逆に、２０°を超えると、胴体部１０の高さ寸法や中身の種類にもよるが、底蓋部１１に比べて天蓋部１２の方が大きくなりすぎて安定感を欠くおそれや見栄えが悪くなるおそれがあるからである。
【００３８】
また、上記の例において、天蓋部１２の環状ガイド３０における、周壁部３３の下端縁３３ａの下向き膨出形状は、天蓋部１２を胴体部１０内に嵌入する際の案内ガイドとなるため、とりわけ天蓋部１２を、厚み１．０ｍｍ以下の薄いシートで形成する場合、これを設けることが重要である。そして、その下向き膨出の程度は、全く膨出していない部分における周壁部３３の上下方向の幅［図５（ｃ）においてＸで示す］を１とすると、最も膨出した部分における周壁部３３の上下方向の幅［同じくＹで示す］が３〜８となるよう設定することが好ましい。すなわち、Ｘに対しＹが３未満であると、天蓋部１２の嵌入時における案内ガイドとしての作用が充分に得られなくなるおそれがあり、逆に、Ｘに対しＹが８を超えると、この部分が長すぎてやはり作業性が悪くなるおそれがあるからである。
【００３９】
そして、上記周壁部３３の下端縁３３ａが、非膨出部から最大膨出部にかけて、上記の例のように、緩やかな円弧状に湾曲した形状になっていることが、よりスムーズな嵌入動作を実現する上で重要である。
【００４０】
さらに、上記の例において、胴体部１０、底蓋部１１、天蓋部１２、の各パーツの材料となるシートの材質は、必ずしも３つとも同じである必要はないが、３つとも同一素材のシートが用いられていると、ごみとして廃棄する場合、あるいはリサイクルする場合、組立容器をいちいち分解して分別する必要がなく、一体として廃棄するかリサイクルに供することができ、好適である。
【００４１】
そして、各パーツの材料となるシートの厚みも、必ずしも３つとも同じである必要はないが、３つとも同一素材、同一厚みのシートが用いられていると、シート材料を共用することができ、作業効率、生産効率がよい。また、シートの厚みは、組立容器の大きさや中に収容する商品の種類や重量にもよるが、通常、厚み０．１〜１．０ｍｍに設定することが、保形性、成形加工性の点で好ましい。そして、特に、厚み０．２〜０．５ｍｍのものを用い、底蓋部１１と天蓋部１２の凹凸形状を工夫して強度を高めたものが、容器全体の軽量化を実現することができ、より好ましい。
【００４２】
また、上記の例において、底蓋部１１と天蓋部１２の成形方法は、真空成形に限るものではなく、圧空成形やその他の成形方法を選択してもよい。ただし、真空成形等によって、シート材料を上下方向から賦形して凹凸形状に賦形したものにすると、底蓋部１１、天蓋部１２を、それぞれの凹凸を揃えた状態で多段に重ねることができ、好適である（図６参照）。また、軽量で、かつ充分に保形強度を有する成形品が得られる点においても、真空成形、圧空成形を用いることが好適である。
【００４３】
なお、本発明において、底蓋部１１、天蓋部１２の形状は、上記の例に限らず、胴体部１０の上下開口を塞ぐ構成になっていれば、どのような構造であってもよいが、少なくとも天蓋部１２は、上記特定の膨出形状を有する周壁部を備えるだけでなく、天蓋部１２を胴体部１０から外した状態で胴体部１０を積み重ねることが、本発明のポイントであり、胴体部１０に対し着脱自在に係合されるものでなければならない。
【００４４】
例えば、本発明における天蓋部１２の他の例（参考の形態）を、図７に示す。この天蓋部６０は、その平面図である図７（ａ）、その正面図である図７（ｂ）に示すように、全体が、略楕円状板で、胴体部１０の上部開口縁部の内側に入り込む環状ガイド６１が、外周壁６２と内周壁６３とを備え、外周壁６２に、前記の実施例と同様、胴体部１０側のスリット１５（図３参照）と係合するための突出部６４が４個形成されている。また、内周壁６３の下端縁に囲まれた内側部分に、開口６５を有する天面部６６が設けられている。
【００４５】
そして、上記天面部６６の開口６５は、図７（ｃ）に示すシール６７によって塞がれている。このシール６７の下面には、繰り返し剥離可能な粘着層が設けられており、中身を取り出す際には、その都度、このシール６７の一部を剥がして開口６５を開くようになっている。
【００４６】
上記天蓋部６０を用いた組立容器の外観を、図８に示す。この組立容器は、天蓋部６０に、前記のような、ヒンジ連結される蓋板３１（図１参照）が付いていないため、シンプルな外観になっている。また、底蓋部も、この例では、図１に示す底蓋部１１に代えて、よりシンプルな構成の底蓋部７０を用いている。
【００４７】
上記底蓋部７０は、その平面図である図９（ａ）、その正面図である図９（ｂ）に示すように、全体が浅皿状に賦形されており、アールのついた周壁部７１において、４個所の部分が内側にやや凹み、その凹んだ部分の上端縁が側方に突出して、胴体部１０と係合するための突出部７２が形成されている。また、底面７０ａの強度を確保するために、底面７０ａの中央側に、平面視楕円形状の環状リブ７３が形成されている。
【００４８】
上記天蓋部６０や底蓋部７０を用いても、図１に示す組立容器と同様の効果を奏することができる。
【００４９】
また、本発明において、例えば、図１０に模式的に示すように、底蓋部１１の下面と、天蓋部１２の上面とを、互いに嵌合可能な凹凸形状にして、複数の組立容器を多段に積み重ねることができるようにしてもよい。この構成によれば、この組立容器を用いた商品を出荷する際、あるいは保管する際、陳列する際等において、この組立容器の底蓋部１１と天蓋部１２とを互いに嵌合させることにより、商品を安定的に段積みすることができ、個別に並べるより場所をとらないという利点を有する。また、店頭において、アイキャッチ効果の高い陳列形態を実現することができる。
【００５０】
さらに、本発明の底蓋部１１は、すでに述べたとおり、胴体部１０の下部開口を塞ぐものであれば、どのような形状であってもよく、必ずしも胴体部１０に着脱自在に係合するものでなくてもよい。
【００５１】
例えば、図１１に示すように、底蓋部１１を胴体部１０と別体にせず、一枚のシートから一体的に形成しても差し支えない。この例では、胴体部１０となる部分８０と底蓋部１１となる部分８１とが、一枚のシートから打ち抜き成形され、さらに真空成形によって、上記底蓋部１１となる部分８１に、補強用の立ち上がり縁部８２と、胴体部１０となる部分８０との係合用の突起部８３とが形成されている。この部分の形状を、図１１（ａ）のＡ−Ａ′断面図である図１１（ｂ）に示す。なお、８４は、上記突起部８３との係合に用いられるスリットである。他の部分は、図３に示す構成と同じであり、同一部分に同一番号を付してその説明を省略する。
【００５２】
上記構成のシートを用いて胴体部１０と底蓋部１１とを一体的に組み立てても、胴体部１０がテーパー状になっており、これを多段に積み重ねることができるため、前記の例と同様の効果を奏することができる。
【００５３】
また、上記の構成は、底蓋部１１となる部分８１の周囲に係合用の突起部８３を形成した、特殊な形状のものであるが、これに限らず、胴体部１０の下端縁から所定形状のフラップを延設し、そのフラップを折り立てることにより底蓋部１１を形成する構造にしても差し支えない。
【００５４】
そして、これらの例は、組立容器の胴体部１０が、横断面形状が楕円もしくは真円の、テーパーのついた略円筒状であるが、胴体部１０は、テーパーのついた略多角筒（例えば略三角筒や略四角筒）状であってもよい。ただし、組み立て作業性や、中身を見せて展示する場合の正面からの見やすさ等の点から、略円筒状であることが望ましく、特に、前後方向が短径の楕円筒状になっているものが、取り扱いやすさや展示時の見栄え等の点で、好適である。
【産業上の利用可能性】
【００５５】
本発明は、コンパクトな形態で運搬することができ、中身となる商品を収容し包装する工程では短時間で簡単に完成形態にすることのできる、使い勝手のよい組立容器として広く利用することができる。
【符号の説明】
【００５６】
１０  胴体部
１１  底蓋部
１２  天蓋部
１６  スリット
３０  環状ガイド
３７  突出部
【図１】
0006539064.tif 000002
【図２】
0006539064.tif 000003
【図３】
0006539064.tif 000004
【図４】
0006539064.tif 000005
【図５】
0006539064.tif 000006
【図６】
0006539064.tif 000007
【図７】
0006539064.tif 000008
【図８】
0006539064.tif 000009
【図９】
0006539064.tif 000010
【図１０】
0006539064.tif 000011
【図１１】
0006539064.tif 000012
【図１２】
0006539064.tif 000013